(57)【要約】【課題】横軸にドット位置、縦軸に輝度値をとって、画像の輝度変化を表示しようと、ドットの輝度変化を折れ線状に表示すると、線が交錯して黒く塗り潰された様に表示される。【解決手段】表示間隔を最小でも１ドットの隙間を空ける事によって、この隙間に輝度値に対する位置を表示できるようにし、更に、輝度値の変化の立ち上がりを階段状にする事によって、立ち上がりが交錯しない様にして、決められた品位表示幅に、任意の大きさの画像の品位を表示できる様にする所にある。【選択図】        図１
2004199107.tif 000002
【特許請求の範囲】
【請求項１】
横軸と縦軸から成る品位表示面において、画像の横ドット列を横軸に、画像の輝度量を縦軸に取り、画像の縦ドット列の各ドットに対する横ドット列の輝度量を、隙間を空け且つ、階段状に重ねる様に、上記表示面に表示する事によって、画像の縦と横のドットに対する輝度の変化状態を交錯する事無く表示できる様にして、画像の品位を表示する表示手段と、斯かる手段によって画像の品位を観る所に特徴をもつ表示装置
【請求項２】
上記品位表示面において、横軸を画像の横ドット列或いは縦ドット列を目盛り、更に縦軸を輝度量の輝度値を目盛り、この目盛りによってドット位置並びに輝度値を読めるようにした所に特徴を持つ表示板。
【発明の詳細な説明】
【０００１】
【発明が属する技術分野】
本発明は、コンピュータで表示される画像並びに動画像等の、画像の品質を観る為のものである。
【０００２】
【従来の技術】
従来は、画像が表示されている色数を計算して、色数の数量によって画像の品質を推定したり、画像のドット列の１つの輝度量を折れ線状に表示して、画像の品質を見ていたが、使用されている色数が少ない時には、使用している色の数量を知り得ても輝度の状態は、把握できないし、各ドット列の輝度量を表示しても、画像全体の品位を把握出来ない等不十分であった。
【０００３】
【発明が解決しようとする課題】
解決しようとする問題点は、コンピュータのディスプレー（以下単にモニタ画面という）は、限られたドット数によって表示している為、単に横ドット列のドットを横軸に取り、輝度量を縦軸にとって、縦ドット列に対する横ドット列のドットの輝度量を縦軸に表示しても、表示画像が交錯するので、画像品位としては観測出来ない、即ちドットに対する輝度値が連続して変化していると、折れ線状に表示されて、輝度値が解からなくなり、更に複数の横ドット列を重ねると、折れ線状部分で交錯する為、塗り潰された様な状態で表示され画像品位として表示できなかった、この時、横１列のトット位置に対する輝度の変化によって表示される線を以下走査線という。
【０００４】
【課題を解決するための手段】
本発明は、横軸のドット列を表示するときに走査線が交錯しない様に表示間隔を明けかつ、輝度の変化を階段状にする事によって、画像品位の輝度量に対するドット列に対応する表示幅を自在にし、画像全体の画像品位を交錯する事無く表示できるようにした所を最も主要な特徴とする。
【０００５】
【発明の実施の形態】
例えば、モニタ画面が横１０００ドットの場合、モニタ画面上で５分の１の大きさで画像品位を表示する場合には、横幅は１０００÷５＝２００ドットとなる、１ドットの隙間を空ける為に、１ドットの間隔を設けると、横軸を１００のドット要素で表示すれば交錯する事無く輝度値を表示できる事になる、即ち、例えば画像が横５００ドットであれば、５ドットおきに輝度値を表示することになる、又、例えば、１００ドット以下の画像の時には、表示要素が不足し、単に折れ線状に表示すると、斜めの線となって交錯するので、交錯する事が無い様に、次のドット位置に来るまで、輝度値の位置を保持する階段状にする、このようにして、画像品位の表示幅より大きい画像でも、小さい画像でも対応出来る様にする。
【０００６】
【実施例】
図１は、本発明装置による１実施例の画像品位表示画像で、図２は、図1の表示を成らしめている画像例であり、１は、輝度段差２５６段を持つドットによって、中心の黒から、徐々に白に円状に広がる画像例を成している事を示し、２は１の周囲から３の矢印で示す中心間の画像のドット輝度を３次元的に表示したものである。
【０００７】
更に、図１には、上述の画像品位画像を数値的な読み取りを可能とする為に、縦軸を輝度、横軸を画像のドット列の位置を目盛りにした目盛り板を含んでいる。
【０００８】
本発明は、画像品位表示画像の横軸に於いて、1ドット以上の隙間を明け、且つ輝度の変化の推移を階段状にして、表示画像が交錯しない様にする所を特徴とするものであるから、画像品位を表示する為に設定した横幅のドット数「Ｔｗ」を取得し、1ドットの隙間を空ける為に、横幅のドット数を２で除算した数値を「Ｔｘ」とする、又、任意の画像幅の画像品位を表示する披画像の全横幅を「Ｇｗ」ドットとすると、「Ｇｗ」を「Ｔｘ」で除算した「Ｇx」の間隔で画像のドット列を取り出して、品位表示画面の縦軸にその輝度値に対する位置に表示すると最小でも１ドットの隙間が空いて輝度位置が表示される事になる、「Ｇｘ」が「Ｔｘ」より大きい時には、画像品位の横間隔は1ドットの隙間が空く為そのまま輝度位置を表示しても縦軸の立ち上がりの線は、階段状になるが、小さい時には、画像品位の横間隔である「Ｔｘ」は1ドット以上の隙間が空くので、単に「Ｔｘ」に対する輝度の変化をそ
のまま表示すると、折れ線状に立ち上がる為、立ち上がり部分で交錯するので、輝度値の変化が生じると、次に変化する迄その輝度値の表示位置を保持して、立ち上がりを階段状にする、以上の処理によって、画像品位の画像を図１の様に、交錯させる事無く表示できる様になる。
【０００９】
図３は、モニタ画面上で横幅「Ｔｗ」縦幅「Ｔｈ」の大きさで画像品位を表示するもので、横「Ｇｗ」縦「Ｇｈ」の幅でドットが配列され且つ各ドットは２５６階調の輝度を持つ構成によって中間調を表示し得る白黒の披画像を示し、斯かる画像の画像品位をモニタ画面上に表示する為に、式１にＣ言語で処理する場合のプログラム例を例示したものである、以下は、単に本発明の一実施例を明示したものであり、当業者においては、以下の説明によって、種々の変形や変更を成し得る事は容易に理解されよう。
【００１０】
【式１】
2004199107.tif 000003
【００１１】
「式１」に於いて、０行目から３行目は、変数の宣言で、ｂで「Ｔｘ」に対する輝度値を保存する、１００を確保しているので画像品位の横幅の設定し得る最大値は、２００ドットである、３行目の「Ｔｙ」は輝度値に対する「Ｔｈ」の縦位置の単位値、４行目の「Ｐｗ」は1ドットの隙間を空けた時の品位表示画面の横ドット数で、「Ｐｘ」は披表示画像のサンプリング間隔、６行目の「Ｍｈ」は披表示画像の縦の最大サンプリング数で、縦幅が１００ドットより大きい被表示画像の時には、縦の最大ドット数を１００に抑える、これは全ドットを表示すると処理数が増加して、表示に時間がかかる状態を抑える為にある、７から１２行目で「Ｇｈ」が「Ｍｈ」より大きい時には、縦をサンプリング的に「Ｐｙ」の間隔で走査し、同じか小さい時には、１ドット間隔で走査させる、１９から２８行で品位表示画像の横走査に対する被表示画像の横ドット列の輝度値を「Ｐｘ」の間隔で取得する、「Ｇａｚ」は非表示画像のドット配列で「Ｇｗ」と「Ｇｈ」の積の要素を持つ、品位表示画面の半分の横ドット列分「Ｐｗ」の輝度値を取得すると、２７から４０行で品位表示画面に表示する、「Ｌｉｎｅ」は線描画関数でこの命令によってモニタ画面に任意の色で線を描画できる事は周知である、但し終点は描かれなく描画色は黒色とする、「Ｍｈ」は前述の通り被表示画像の大きさによって１の場合と１より大きい場合があり、１の時には、１ドットの隙間を空けるのでるから、ｍ＊２番目とｍ＊２＋１番目に品位表示画面にｍ番目の輝度値の位置の横線を描き、ｍ＊２＋１番目の位置にｎ＋１番目の輝度値の位置との間に縦線を描く、輝度値を取得したｎ回繰り返し、輝度値を品位表示画面に階段状に描画する、１より大きい時即ち「Ｇｈ＞Ｍｈ」の時「Ｌｘ」の間隔で品位表示画面に輝度値に対する位置を描画する、「Ｑ」は「Ｐ」の次の位置であるから、「Ｐ」と「Ｑ」の間にｎ番目の輝度値に対する位置の横線を描き、「Ｑ」の位置に同様に縦線を描く、以上の描画をｊが「Ｍｈ」に到達する迄繰り返しす、繰り返す時には、「ｎ」と「Ｇｘ」を０に初期化し、縦のサンプリング間隔「Ｐｙ」を加算していき、ｙに加算された「Ｇｙ」の整数値を取得し被表示画像の縦のドット位置を設定する、以上の処理によって品位表示画面には、被表示画像の縦位置に対する横ドット列の輝度変化が階段状に描画される。
【００１２】
本発明を更に明瞭にする為、走査線を階段状にしなかった場合を図４に、本発明の一つである階段状にした場合を図５に示す、いずれも被表示画像は図２の「１」の様に輝度が円錐状の円が２つ重なっているものである、「４」と「６」を比較すると、「４」は立ち上がり部分が重なり合って黒色で塗りつぶされた様になっている部分があり、輝度の位置が解からないが、「６」では、重なる事無く明瞭に輝度の位置が表示されている、「５」及び「７」は、中央部分を拡大したもので拡大すると「５」では輝度の位置が全く判明できなくドットの区切りも解からなくなっているが「７」では輝度の位置がはっきりと横線で表示されかつ、縦線によってドットの区切りもはっきり観る事ができる、尚拡大した画像品位表示画面は、「式１」における「Ｇｘ」を拡大開始ドット位置、「Ｇｗ」を拡大幅のドット数に変更する事によって容易に実施し得る、又「６」「７」において黒く塗り潰された様な部分があるがこれは、その部分に輝度が集中している事を、画像品位として示しているものである。
【００１３】
上述によって、モニタ画面上に任意の大きさの品位表示画面を表示し、任意の大きさの画像の輝度値をグラフ状に表示し得るので、カラーの画像では赤色、緑色、青色の各輝度の状態を同時に図６の様に表示し得る事は容易に理解されよう、又、他の要素例えば、ＨＳＶ要素などでも同様に表示できるであろう。
【００１４】
本発明の図６に於いて、各色の画像品位は左半分の輝度値は縦の間隔が粗く、右半分は細かく表示されている、即ち、左側は輝度が８ステップの３２段、右側は１ステップの２５６段で表示されている事を示している、「ＢＭＰ」画像は、１、４、８、１６、２４、３２ビットで画像を表示する事は周知である、このＢＭＰ画像において、左側が１６ビット画像品位、右側が２４ビット又は３２ビットの画像品位を表示している事を示している。
【００１５】
各画像品位の左上には、各色の使用されている色数即ち段位数を表示している、この色数は、「式２」によって取得する事が可能で、取得した数値をモニタ画面上に任意の位置に表示できる事は周知である。
【００１６】
【式２】
2004199107.tif 000004
【００１７】
「式２」において、５から８行目で「Ｒ」「Ｇ」「Ｂ」の配列を０にセットする、９から１５行目で各輝度値を取得し、出現した輝度値の配列を１にセットする、１６から１８行目で色数を０にし、１９から２２行目で出現した色数即ち上述で１にセットされた数を計算して各色数を取得するものである。
【００１８】
【発明の効果】
輝度の濃度をグラフ状に観る事ができるので、デジタルカメラ等で暗く又は明るく写ったりした画像では、本発明の画像品位を観ながら、上限や下限を超え無いように確実かつ簡単に修正できる様になり、かつモニタ画面の明るさに左右される事が無くなる、又、画像を修正する時には、画像品位を表示する事によって、修正の状態を把握しながら修正できるようになる。
【００１９】
輝度の段差の状態を見る事が出来るので、画像が低品位であるか、高品位であるかの判別が容易にできる、即ち段差の粗い画像は、印刷すると粗く印刷され、段差が細かい画像は精細な印刷が可能となる、この事は図６の様に１６ビット画像と２４ビット画像が混在している画像品位の様に、印刷画像の品位を評価できる様になる。
【００２０】
上述での「式１」の１５行目の「Ｇｘ」は零であるから、被画像の横ドット列の零番目から、表示されるが、この値を変更すれば、横ドット列の表示開始位置が変更され、更に５行目の「Ｇｗ」を変更すると、被画像の表示幅を変更できるので、品位表示画像は横ドット列の任意の位置で任意のドット数を交錯する事無く表示できる、即ち図５の７の様に、被画像の任意の部分を左右に拡大した品位表示画像を得る事が出来るので詳細に被画像の品位などの特徴を調べる事が出来る様になる。
【００２１】
前述の任意の位置での左右拡大と同様に、「式１」の１６行目の「Ｇｙ」の値は零であるから、被画像の縦のドット列の品位表示開始位置は零であるが、「Ｇｙ」に品位表示開始位置を設定すると、任意の位置から品位を表示出来る、更に７，８，１１行目の「Ｇｈ」は、被画像の縦幅であるから、「Ｇｈ」を小さくすると品位表示をする被画像の縦幅を小さくできる、即ち、任意の被画像の縦ドット位置から、任意の幅で品位表示画像を得る事ができるので、前述と合わせて、被画像の縦横の任意の部分を拡大しても交錯する事無く品位表示をする事が出来る様になる。
【００２２】
赤色、緑色、青色の３要素の画像品位を横や縦に並べて同時に表示する事によって、赤色、緑色、青色の画像品位を同時に見る事が出来る様になり、それらを切り替えて見る必要がなくなるので、画像品位を見ながら画像の特性を調整する時には全体の画像の状態を観る事ができる為、輝度や色合いの調整等が容易になる。
【００２３】
上述は画像について説明したものであるが、映像などの動画でも同様で、画像の横と縦は、水平と垂直の走査に対応し輝度、赤色、緑色、青色の各映像信号は、上記「Ｇａｚ」に対応させる事によって容易に実施できるので、パ−ソナルコンピュ−タ等で表示される映像のモニタとして補助的に小さく表示する事が可能になる。
【００２４】
目盛り板は、線と文字の描画命令によって、容易に表示できる事は周知であるから、画像品位表示画像と重ねて表示し得る、この目盛り板によってドット位置や輝度値を読み取る事が出来る様になる。
【００２５】
上述は、画像の縦位置に対する横ドット列の輝度変化を重ねる様に表示するものであるが、走査毎に表示位置をずらせると面的に表示される事は周知であるが、走査線を階段状にする事によって輝度値の位置が明瞭になる等の利点が生じる。即ち、階段状の線によって３次元的に表示された画像で、被画像の滑らかさや、ノイズなどの状態を瞭然と観る事ができる等の利点が生じる事は容易に理解されよう。尚、走査線の表示位置をずらせるには、「式１」の４３行目の「Ｇｘ」を、上方向にずらせる値を「＋ＳＴＥＰ」とすれば「Ｇｘ＋＝ＳＴＥＰ」と変更すると実施でき更に、表示振幅は３行目の「Ｔｙ」の値を変更し、全体の表示位置を変更するには、２２行目の「ｂ」に変更する量を加算すると画像全体が上下に移動するので、走査線の間隔を広げたり狭くしたり、振幅を大きくしたり小さくしたり、全体の表示位置を上下に移動したり出来る事は、上述によって容易に理解されよう。
【図面の簡単な説明】
【図１】本発明による、画像品位の表示例。
【図２】本発明を説明する為の、輝度が円錐特性を持つ画像例。
【図３】本発明を説明する為の、被表示画像と品位表示画面の関係図。
【図４】本発明を使用しない場合の表示例。
【図５】本発明を使用した場合の品位表示画面例で図４と比較説明の為の品位表示例。
【図６】カラー画像での、色の３要素を同時に表示した品位表示例。
【符号の説明】
１    中心が黒で周囲に徐々に白くなっていく画像。
２    （１）の輝度の３次元的表示。
３    （２）の３次元的表示をしている範囲。
４    本発明を使用しない時の輝度の推移の表示画像例
５    （４）の左右拡大画像。
６    本発明による品位表示画像例
７    （６）の左右を拡大した品位表示画像。
【図１】
2004199107.tif 000005
【図２】
2004199107.tif 000006
【図３】
2004199107.tif 000007
【図４】
2004199107.tif 000008
【図５】
2004199107.tif 000009
【図６】
2004199107.tif 000010